(57)【要約】【課題】使用者に対して適切なスルー画像をカメラボディで提供できるようにした交換レンズを提供する。【解決手段】交換レンズは、光学系と、当該光学系に含まれる一部のレンズを光軸の垂直面内で移動させることでブレ補正を行なうブレ補正アクチュエータと、前記光学系が繰り出し状態であるか又は沈胴状態であるかを検出する検出部と、前記繰り出し状態から沈胴状態への変化を検出した場合、当該沈胴状態を示す信号をカメラボディに送信し、その後、前記ブレ補正アクチュエータへの電源をＯＦＦにする第１送信部と、前記沈胴状態から繰り出し状態への変化を検知した場合、前記ブレ補正アクチュエータへの電源をＯＮにし、その後、当該繰り出し状態を示す信号を前記カメラボディに送信する第２送信部と、を備える。【選択図】図７
2015079042.tif 000002
【特許請求の範囲】
【請求項１】
カメラボディに着脱可能な交換レンズであって、
光学系と、
当該光学系に含まれる一部のレンズを光軸の垂直面内で移動させることでブレ補正を行なうブレ補正アクチュエータと、
前記光学系が繰り出し状態であるか又は沈胴状態であるかを検出する検出部と、
前記繰り出し状態から沈胴状態への変化を検出した場合、当該沈胴状態を示す信号をカメラボディに送信し、その後、前記ブレ補正アクチュエータへの電源をＯＦＦにする第１送信部と、
前記沈胴状態から繰り出し状態への変化を検知した場合、前記ブレ補正アクチュエータへの電源をＯＮにし、その後、当該繰り出し状態を示す信号を前記カメラボディに送信する第２送信部と、
を備える交換レンズ。
【請求項２】
前記第２送信部は、前記沈胴状態から繰り出し状態への変化を検知した場合、前記ブレ補正アクチュエータへの電源をＯＮにし、前記レンズの光学性能補償範囲への復帰を確認した後に、当該繰り出し状態を示す信号を前記カメラボディに送信する、
請求項１に記載の交換レンズ。
【請求項３】
交換レンズと、カメラボディと、を備えるカメラシステムであって
前記交換レンズは、
光学系と、
当該光学系に含まれる一部のレンズを光軸の垂直面内で移動させることでブレ補正を行なうブレ補正アクチュエータと、
前記光学系が繰り出し状態であるか又は沈胴状態であるかを検出する検出部と、
前記繰り出し状態から沈胴状態への変化を検出した場合、当該沈胴状態を示す信号をカメラボディに送信し、その後、前記ブレ補正アクチュエータへの電源をＯＦＦにする第１送信部と、
前記沈胴状態から繰り出し状態への変化を検知した場合、前記ブレ補正アクチュエータへの電源をＯＮにし、その後、当該繰り出し状態を示す信号を前記カメラボディに送信する第２送信部と、
を備え、
前記カメラボディは、前記交換レンズから繰り出し状態を示す信号を受信すると、スルー画像をモニタに表示する一方、前記交換レンズから沈胴状態を示す信号を受信すると、当該スルー画像と異なる画像をモニタに表示する、
カメラシステム。
【請求項４】
前記スルー画像と異なる画像は、沈胴状態を示すメッセージを含むメッセージ画像である、
請求項３に記載のカメラシステム。
【請求項５】
前記スルー画像と異なる画像は、記録媒体に記録された撮像画像である、
請求項３に記載のカメラシステム。
【請求項６】
カメラボディに着脱可能な交換レンズであって、
光学系と、
当該光学系に含まれる一部のレンズを移動させるアクチュエータと、
前記光学系が繰り出し状態であるか又は沈胴状態であるかを検出する検出部と、
前記繰り出し状態から沈胴状態への変化を検出した場合、当該沈胴状態を示す信号をカメラボディに送信し、その後、前記アクチュエータへの電源をＯＦＦにする第１送信部と、
前記沈胴状態から繰り出し状態への変化を検知した場合、前記アクチュエータへの電源をＯＮにし、その後、当該繰り出し状態を示す信号を前記カメラボディに送信する第２送信部と、
を備える交換レンズ。
【発明の詳細な説明】
【技術分野】
【０００１】
本開示は、交換レンズに関し、特に繰り出し状態と沈胴状態とを有する交換レンズに関する。
【背景技術】
【０００２】
特許文献１は、交換レンズとカメラボディとを備えるカメラシステムを開示する。特許文献１の交換レンズとカメラボディは、互いにデータ通信が可能である。例えば、特許文献１では、静音速度情報という情報のやり取りを可能にしている。
【先行技術文献】
【特許文献】
【０００３】
【特許文献１】特開２００９−２８８７７８号公報
【発明の概要】
【発明が解決しようとする課題】
【０００４】
本開示は、使用者に対して適切なスルー画像をカメラボディで提供できるようにした交換レンズ、および、その交換レンズを備えるカメラシステムを提供する。
【課題を解決するための手段】
【０００５】
本開示における交換レンズは、光学系と、当該光学系に含まれる一部のレンズを光軸の垂直面内で移動させることでブレ補正を行なうブレ補正アクチュエータと、前記光学系が繰り出し状態であるか又は沈胴状態であるかを検出する検出部と、前記繰り出し状態から沈胴状態への変化を検出した場合、当該沈胴状態を示す信号をカメラボディに送信し、その後、前記ブレ補正アクチュエータへの電源をＯＦＦにする第１送信部と、前記沈胴状態から繰り出し状態への変化を検知した場合、前記ブレ補正アクチュエータへの電源をＯＮにし、その後、当該繰り出し状態を示す信号を前記カメラボディに送信する第２送信部と、を備える。
【０００６】
本開示におけるカメラシステムは、上述した交換レンズと、カメラボディとを備え、当該カメラボディは、交換レンズより繰り出し状態を示す信号を受け付けると、スルー画像のモニタへの表示をＯＮにする一方、交換レンズより沈胴状態を示す信号を受け付けると、スルー画像のモニタへの表示をＯＦＦにする。
【発明の効果】
【０００７】
本開示における交換レンズ、及び、カメラシステムは、使用者に対して適切なスルー画像をカメラボディで提供できる。
【図面の簡単な説明】
【０００８】
【図１】実施の形態１におけるカメラシステムの構成を示す図
【図２】実施の形態１におけるカメラボディのモニタ表示制御を説明するためのフローチャート
【図３】実施の形態１における交換レンズの沈胴検出制御を説明するためのフローチャート
【図４】アクチュエータ（ＯＩＳレンズ用）の励磁ＯＮ／ＯＦＦ時におけるスルー画像とＯＩＳレンズ位置の比較を説明するための図
【図５】交換レンズの繰り出し状態（撮影状態）と沈胴状態を示すための模式図
【図６】カメラボディと交換レンズとの通信制御を説明するためのフローチャート
【図７】カメラボディと交換レンズとのレンズ状態データ通信を説明するための図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
以下、図１〜７を用いて、実施の形態１を説明する。
【００１２】
［１．構成］
図１に、本実施の形態のカメラシステム１の構成を示す。カメラシステム１はカメラボディ１００と交換レンズ２００とを備える。カメラシステム１は、カメラボディ１００と交換レンズ２００との通信により、適切なカメラ制御を実施できる。
【００１３】
［１−１．カメラボディの構成］
カメラボディ１００は、センサ１１０と、モニタ１２０と、カメラコントローラ１４０と、ボディマウント１５０と、電源１６０と、カードスロット１７０とを備える。
【００１４】
カメラコントローラ１４０は、レリーズ釦１３０等の操作部材からの指示に応じて、センサ１１０等の各部の動作を制御することで、カメラシステム１全体の動作を制御する。カメラコントローラ１４０は、垂直同期信号をタイミング発生器１１２に送信する。ＤＲＡＭ１４３は、カメラコントローラ１４０による制御動作や画像処理動作の際に、ワークメモリとして使用される。フラッシュメモリ１４２は、カメラコントローラ１４０の制御の際に使用するプログラムやパラメータを保存する。
【００１５】
センサ１１０は、交換レンズ２００を介して入射される被写体像を含む光学信号から画像信号を生成する。生成された画像信号は、カメラコントローラ１４０により様々な画像処理が施される。
【００１６】
センサ１１０は、タイミング発生器１１２で制御されるタイミングで動作する。センサ１１０の動作には、静止画像の撮像動作、動画像の撮像動作、スルー画像の撮像動作等が含まれる。スルー画像は、センサ１１０により撮像された後、リアルタイムでモニタ１２０に表示される画像である。スルー画像は主に動画像であり、使用者が静止画像の撮像時の構図を決めるためにモニタ１２０に表示されるものである。
【００１７】
モニタ１２０は、カメラコントローラ１４０で画像処理された表示用画像データが示す画像を表示する。モニタ１２０は、動画像及び静止画像、あるいはカメラシステム１の状態を示すメッセージを選択的に表示可能である。
【００１８】
電源１６０は、カメラシステム１で消費するための電力を供給する。電源１６０は、例えば、乾電池であってもよいし、充電池であってもよい。また、電源コードにより外部から供給される電力をカメラシステム１に供給するものであってもよい。
【００１９】
カードスロット１７０は、メモリーカード１７１を装着するためのスロットである。カメラコントローラ１４０は、撮像された静止画像又は動画像をメモリーカード１７１に記録できる。
【００２０】
ボディマウント１５０は、交換レンズ２００のレンズマウント２５０と機械的及び電気的に接続可能である。ボディマウント１５０は、レンズマウント２５０を介して、交換レンズ２００との間で、コマンドやデータを送受信可能である。ボディマウント１５０は、カメラコントローラ１４０から受信した種々の制御信号を、レンズマウント２５０を介してレンズコントローラ２４０に送信する。また、ボディマウント１５０は、電源１６０から受けた電力を、レンズマウント２５０を介して交換レンズ２００全体に供給する。
【００２１】
［１−２．交換レンズの構成］
交換レンズ２００は、光学系と、レンズコントローラ２４０と、レンズマウント２５０とを備える。光学系は、ズームレンズ２１０、ＯＩＳレンズ２２０、絞り２６０、及びフォーカスレンズ２３０を含む。
【００２２】
ズームレンズ２１０は、交換レンズ２００の光学系で形成される被写体像の倍率を変化させるためのレンズである。使用者が操作可能なズームリング２１１により、使用者による回転操作に応じてズームレンズ２１０を光学系の光軸方向に沿って移動させる。検出器２１２は、ズームリング２１１における駆動量を検出する。レンズコントローラ２４０は、この検出器２１２における検出結果を取得することにより、ズーム位置と光学系におけるズーム倍率を把握することができる。
【００２３】
ＯＩＳレンズ２２０は、交換レンズ２００の光学系で形成される被写体像のぶれを補正するためのレンズである。ＯＩＳレンズ２２０は、カメラシステム１のぶれを相殺する方向に移動することにより、センサ１１０上の被写体像のぶれを小さくする。アクチュエータ２２１は、レンズコントローラ２４０からの制御に基づき、光学系の光軸に垂直な面内でＯＩＳレンズ２２０を駆動する。アクチュエータ２２１は、例えば、マグネットと平板コイルとで実現可能である。位置検出センサ２２２は、光学系の光軸に垂直な面内におけるＯＩＳレンズ２２０の位置を検出するセンサである。位置検出センサ２２２は、例えば、マグネットとホール素子で実現可能である。
【００２４】
絞り２６０は、光学系を通過する光の量を調整するための部材である。絞り２６０は、例えば、複数の絞り羽根からなり、羽根で構成する開口部を開閉することにより、光量を調整可能である。絞りモータ２６１は、絞り２６０の開口部を開閉するための駆動手段である。
【００２５】
フォーカスレンズ２３０は、光学系でセンサ１１０上に形成される被写体像のフォーカス状態を変化させるためのレンズである。
【００２６】
フォーカスモータ２３３は、レンズコントローラ２４０の制御に基づいてフォーカスレンズ２３０を駆動し、フォーカスレンズ２３０を光学系の光軸に沿って進退させる。これにより、光学系でセンサ１１０上に形成される被写体像のフォーカス状態を変化させることができる。
【００２７】
レンズコントローラ２４０は、カメラコントローラ１４０からの制御信号に基づいて、交換レンズ２００全体の動作を制御する。また、レンズコントローラ２４０は、検出器２１２、位置検出センサ２２２などから信号を受信して、カメラコントローラ１４０に送信する。レンズコントローラ２４０は、カメラコントローラ１４０との送受信の際には、レンズマウント２５０及びボディマウント１５０を介して行う。
【００２８】
フラッシュメモリ２４２は、レンズコントローラ２４０の制御の際に使用するプログラムやパラメータを保存する。
【００２９】
レンズマウント２５０は、カメラボディ１００のボディマウント１５０と機械的及び電気的に接続可能である。レンズマウント２５０は、ボディマウント１５０を介して、カメラボディ１００との間で、コマンドやデータを送受信可能である。レンズマウント２５０は、レンズコントローラ２４０から受信した種々の制御信号を、ボディマウント１５０を介してカメラコントローラ１４０に送信する。
【００３０】
［１−３．交換レンズの状態説明］
上述したように、交換レンズ２００は、ズームリング２１１と、ズームリング２１１により移動されるズームレンズ２１０と、を備える。交換レンズ２００の光学系は、ズームリング２１１により移動されることで、繰り出し状態と沈胴状態との間を変遷する。すなわち、使用者がズームリング２１１でズームレンズ２１０を繰り出せば、光学系は繰り出し状態となり、使用者がズームリング２１１でズームレンズ２１０を沈胴させれば、光学系は沈胴状態となる。
【００３１】
ここで繰り出した状態とは、図５に示すように、ズームレンズ２１０を伴う光学系が、前方に繰り出した状態のことである。一方、沈胴状態とは、ズームレンズ２１０を伴う光学系が、ズームリング２１１を伴う鏡筒に収納された状態である。なお、レンズコントローラ２４０は、撮影不可能なズーム位置、すなわち、ピントを合わせることができないズーム位置まで収納されたときに、沈胴状態と判断する。例えば、レンズコントローラ２４０は、ズームリング２１１のポジションを、検出器２１２（例えば、ズームエンコーダ）で確認することにより、沈胴位置にズームレンズ２１０が移動されたと判断した場合、沈胴状態と判断する。
【００３２】
なお、検出器２１２は、ズーム位置によって変化する出力範囲を機体毎に測定して調整した方が良い。このようにすれば、検出器２１２の出力範囲を、機体ごとに測定するので、撮影不可能なズーム位置の検出精度を上げることが可能である。
【００３３】
［２．動作］
［２−１．カメラボディのモニタ表示制御］
図２は、カメラボディ１００が撮影モードに設定された時の制御を示すフローチャートである。カメラコントローラ１４０はモニタ表示用のスルー画像を生成するために同期信号を生成する（Ｓ１）。カメラコントローラ１４０は、交換レンズ２００に対し、同期信号の周期で、ボディマウント１５０とレンズマウント２５０を介して、レンズ状態データ要求を行ない（Ｓ２）、交換レンズ２００からの応答により、レンズ状態データを取得する（Ｓ３）。レンズ状態データには、沈胴状態か繰り出し状態を示す信号が含まれている。カメラコントローラ１４０はレンズ状態データを監視し（Ｓ４）、交換レンズ２００が沈胴状態であると判断すると、メッセージ表示を行ない、使用者へ通知する（Ｓ５）。沈胴状態でないと判断すると、スルー画像を表示する（Ｓ６）。
【００３４】
なお、交換レンズ２００が沈胴状態の場合、カメラボディ１００がメッセージ表示を行った後、一定時間経過するなど、特定の条件において、カメラシステム１の電源をＯＦＦしても良い。あるいはカメラシステム１の状態を撮影モードから再生モードにしても良い。
【００３５】
［２−２．交換レンズの沈胴検出制御］
図３は交換レンズ２００の沈胴検出制御を説明するためのフローチャートである。レンズコントローラ２４０は、ズーム位置を、検出器２１２によって取得し（Ｓ１１）、交換レンズ２００が沈胴状態であるかどうかを監視している（Ｓ１２）。使用者がズームリング２１１を操作することにより、図５に示す沈胴状態にされたとする。すると、レンズコントローラ２４０は、沈胴フラグを“１”（沈胴状態）に設定し（Ｓ１３）、ＯＩＳレンズ２２０のアクチュエータ２２１の電源をＯＦＦする（Ｓ１４）。沈胴状態でない場合は、ＯＩＳレンズ２２０のアクチュエータ２２１の電源をＯＮし、ＯＩＳレンズ２２０が撮影可能な状態に復帰することを監視する（Ｓ１５）。ＯＩＳレンズ２２０が撮影可能な状態か否かの判断は、位置検出センサ２２２の出力をレンズコントローラ２４０が監視することによって、行なう。ＯＩＳレンズ２２０が撮影可能な状態に復帰すると、沈胴フラグを“０”（繰り出し状態）に設定する（Ｓ１６）。沈胴フラグはレンズコントローラ２４０内の内部メモリに記憶される。
【００３６】
ＯＩＳレンズ２２０のアクチュエータ２２１の電源ＯＮ、ＯＦＦについて、図４を用いて説明する。アクチュエータ２２１の電源がＯＮされていると、ＯＩＳレンズ２２０は、レンズコントローラ２４０の制御により、光学性能を満足する範囲内に保持される（Ｓ３１）。アクチュエータ２２１の電源をＯＦＦすると、電力を削減できるが、レンズコントローラ２４０から指示される位置に、ＯＩＳレンズ２２０を保持できない。例えば、アクチュエータ２２１をマグネットと平板コイルによって実現した場合、アクチュエータ２２１の電源をＯＦＦすると、ＯＩＳレンズ２２０は自重方向の物理的な端まで移動するため、光学性能を満足できない（Ｓ３２）。光学性能が満足できない（Ｓ３２）とは、例えば、周辺部にケラレが発生するような状況である。したがって、カメラボディ１００は、Ｓ３２のようなスルー画像をモニタ１２０に表示させないことが望ましい。
【００３７】
［２−３．交換レンズの通信制御］
図６は交換レンズ２００の通信制御を説明するためのフローチャートである。交換レンズ２００はカメラボディ１００からのレンズ状態データ要求を受信すると（Ｓ２１）。レンズコントローラ２４０が記憶している沈胴フラグを読み出し（Ｓ２２）、カメラボディ１００へのレンズ状態データ応答によって、沈胴フラグを送信する（Ｓ２３）。
【００３８】
［２−４．動作例と効果］
図７は、カメラシステム１の沈胴制御動作を説明するための信号送受信を示す図である。カメラボディ１００に交換レンズ２００を装着した状態で、使用者が、カメラボディ１００の電源をＯＮすると、カメラボディ１００と交換レンズ２００の初期化処理を行なう。初期化処理を終えると、カメラコントローラ１４０はレンズコントローラ２４０に対し、レンズ状態データ要求を発行する（Ｔ１）。ここで、レンズ状態データには、交換レンズ２００が沈胴しているか否かに関する情報が含まれており、沈胴状態（ｂ１）の場合、レンズコントローラ２４０は、カメラコントローラ１４０からのレンズ状態データ要求に対し、沈胴状態であることを応答する（Ｔ２）。カメラコントローラ１４０は、沈胴状態であるという応答を受けて、カメラボディ１００のモニタ１２０にメッセージ表示を行なう（ａ１）。また、レンズコントローラ２４０は、レンズ状態データ応答後、ＯＩＳレンズ２２０を駆動するためのアクチュエータ２２１の電源をＯＦＦする（ｂ２）。
【００３９】
カメラコントローラ１４０は、同期信号に基づいて、レンズ状態データ要求を繰り返す。一方、レンズコントローラ２４０は、所定の状態（図３のＳ１６の状態）になるまで、沈胴状態を示す信号をレンズ状態データとして送信し続ける。
【００４０】
使用者がズームリング２１１を操作することにより、交換レンズの状態を、沈胴状態から繰り出し状態に変化させると、レンズコントローラ２４０は、検出器２１２の出力に基づいて沈胴状態でないことを検出する（ｂ４）。レンズコントローラ２４０は、ＯＩＳレンズ２２０を撮影可能な状態に復帰させるため、アクチュエータ２２１の電源をＯＮする（ｂ５）。レンズコントローラ２４０は、ＯＩＳレンズ２２０が撮影可能な状態に復帰したことを確認後、カメラコントローラ１４０からのレンズ状態データ要求（Ｔ３）に対し、沈胴状態でない（すなわち、繰り出し状態である）ことを応答する（Ｔ４）。カメラコントローラ１４０は、沈胴状態でないという応答を受けて、カメラボディ１００のモニタ１２０に、スルー画像を表示する（ａ２）。
【００４１】
以上のように、本実施の形態において、交換レンズ２００が沈胴状態である場合に、ＯＩＳレンズ２２０のアクチュエータ２２１の電源をＯＦＦすることにより、カメラシステム１の省電力を図ることができる。
【００４２】
また、使用者のズーム操作により、交換レンズ２００が、沈胴状態から繰り出し状態に変化した際に、ＯＩＳレンズ２２０が撮影可能な状態に復帰するまでは、レンズコントローラ２４０から、カメラコントローラ１４０への、レンズ状態データ応答に含まれる、沈胴しているか否かに関する情報を、沈胴状態としておくことで、カメラボディ１００のモニタ１２０に表示される、スルー画像に撮影不可能な状態を表示しないようにすることができる。
【００４３】
以上のように、本開示における技術の例示として、実施の形態を説明した。そのために、添付図面および詳細な説明を提供した。
【００４４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４５】
また、上述の実施の形態は、本開示における技術を例示するためのものであるから、特許請求の範囲またはその均等の範囲において種々の変更、置き換え、付加、省略などを行うことができる。
【００４６】
本実施の形態では、ブレ補正のアクチュエータの電源をＯＮした後に、ＯＩＳレンズの復帰を確認し、沈胴状態を示す信号を送信するようにしたが、これに限られない。例えば、ＯＩＳレンズの代わりにフォーカスレンズであっても良い。
【産業上の利用可能性】
【００４７】
本開示は、交換レンズに関し、特に繰り出し状態と沈胴状態とを有する交換レンズ、及び、その交換レンズを備えるカメラシステムに適用可能である。具体的には、ミラーレスカメラ、一眼レフカメラなどに、本開示は適用可能である。
【符号の説明】
【００４８】
１００    カメラボディ
１１０    センサ
１１２    タイミング発生器
１２０    モニタ
１３０    レリーズ釦
１４０    カメラコントローラ
１４２    フラッシュメモリ
１４３    ＤＲＡＭ
１５０    ボディマウント
１６０    電源
１７０    カードスロット
１７１    メモリーカード
２００    交換レンズ
２１０    ズームレンズ
２１１    ズームリング
２１２    検出器
２２０    ＯＩＳレンズ
２２１    アクチュエータ
２２２    位置検出センサ
２３０    フォーカスレンズ
２３３    フォーカスモータ
２４０    レンズコントローラ
２４２    フラッシュメモリ
２５０    レンズマウント
２６０    絞り
２６１    絞りモータ
【図１】
2015079042.tif 000003
【図２】
2015079042.tif 000004
【図３】
2015079042.tif 000005
【図４】
2015079042.tif 000006
【図５】
2015079042.tif 000007
【図６】
2015079042.tif 000008
【図７】
2015079042.tif 000009